(57)【要約】【課題】コントラストの低下を抑制できる、マルチ絵素駆動方式の表示装置を実現する。【解決手段】本発明の液晶表示装置は、１つの表示絵素ＰＩＸが、複数の副絵素９１，９２で構成されており、表示絵素ＰＩＸに印加される電圧を複数の副絵素９１，９２に異なる電圧を印加することにより画像の表示を行う。各副絵素９１，９２は、それぞれ異なる補助容量配線９３，９４に接続された補助容量電極とそれに対向する電極とによって形成された補助容量ＣＣＳ，ＣＣＳを有している。この液晶表示装置は、各補助容量に同時に印加され、互いに振幅が等しく、かつ、位相が互いに逆になった補助容量信号を生成するＣＳ駆動回路（信号生成部）と、各絵素の階調の大きさが変化するときに補助容量信号の振幅を絵素ごとに変化させる振幅調整部９５，９６とを備えている。【選択図】図１
2008145886.tif 000002
【特許請求の範囲】
【請求項１】
１つの絵素を複数の副絵素に分割し、各副絵素に異なる電圧を印加することによって該絵素の表示を行う液晶表示装置であって、
同一の絵素内に含まれる各副絵素が、それぞれ異なる補助容量配線に接続された補助容量電極とそれに対向する電極とによって形成された補助容量を有しているとともに、
同一絵素内に含まれる上記副絵素のうちの少なくとも２つの副絵素における各補助容量電極に同時に印加され、振幅が互いに等しく、かつ、位相が互いに逆になった補助容量信号をそれぞれ生成する信号生成部と、
各絵素の階調の大きさが変化するときに、上記補助容量信号の振幅を階調の大きさに応じて絵素ごとに変化させる振幅調整部とを備えていることを特徴とする液晶表示装置。
【請求項２】
当該液晶表示装置は、ノーマリーブラックモードの液晶表示装置であり、
上記振幅調整部は、各絵素の階調の大きさが小さくなるように変化したときに、上記補助容量信号の振幅がより小さくなるように振幅を変化させることを特徴とする請求項１に記載の液晶表示装置。
【請求項３】
複数のデータ線と、これら複数のデータ線と交差するように配置された走査線とを有し、上記絵素はこれら複数のデータ線と複数の走査線との各交点に対応してマトリクス状に配されており、
上記振幅調整部は、上記データ線を介して各絵素に印加されるソース電圧の変化に合わせて上記振幅を変化させることを特徴とする請求項１に記載の液晶表示装置。
【請求項４】
上記振幅調整部は、各副絵素の上記補助容量電極と上記補助容量配線との間に、ソース電圧の大きさに基づいて上記振幅を変化させる回路を有していることを特徴とする請求項３に記載の液晶表示装置。
【請求項５】
上記絵素は、２つの副絵素から構成されていることを特徴とする請求項１に記載の液晶表示装置。
【請求項６】
１つの絵素を複数の副絵素に分割し、各副絵素に異なる電圧を印加することによって該絵素の表示を行う液晶表示装置の駆動方法において、
同一の絵素内に含まれる各副絵素が、それぞれ異なる補助容量配線に接続された補助容量電極とそれに対向する電極とによって形成された補助容量を有しており、
同一絵素内に含まれる上記副絵素のうちの少なくとも２つの副絵素における各補助容量電極に同時に印加され、振幅が互いに等しく、かつ、位相が互いに逆になった補助容量信号をそれぞれ生成するとともに、
各絵素の階調の大きさが変化するときに上記補助容量信号の振幅を階調の大きさに応じて絵素ごとに変化させることを特徴とする液晶表示装置の駆動方法。
【請求項７】
当該液晶表示装置は、ノーマリーブラックモードの液晶表示装置であり、
上記補助容量信号の振幅を変化させるステップにおいて、各絵素の階調の大きさが小さくなるように変化したときに、上記補助容量信号の振幅がより小さくなるように振幅を変化させることを特徴とする請求項６に記載の液晶表示装置の駆動方法。
【請求項８】
当該液晶表示装置は、複数のデータ線と、これら複数のデータ線と交差するように配置された走査線とを有しているとともに、上記絵素はこれら複数のデータ線と複数の走査線との各交点に対応してマトリクス状に配されており、
上記補助容量信号の振幅を変化させるステップでは、上記データ線を介して各絵素に印加されるソース電圧の変化に合わせて振幅を変化させることを特徴とする請求項６に記載の液晶表示装置の駆動方法。
【請求項９】
１つの絵素を複数の副絵素に分割し、各副絵素に異なる電圧を印加することによって該絵素の表示を行う液晶表示装置の各絵素を駆動する駆動回路であって、
同一の絵素内に含まれる各副絵素のうちの少なくとも２つの副絵素に設けられたそれぞれの補助容量電極に同時に印加され、振幅が互いに等しく、かつ、位相が互いに逆になった補助容量信号をそれぞれ生成する信号生成部と、
各絵素の階調の大きさが変化するときに上記補助容量信号の振幅を階調の大きさに応じて絵素ごとに変化させる振幅調整部とを有していることを特徴とする駆動回路。
【請求項１０】
上記振幅調整部は、上記液晶表示装置に設けられたデータ線を介して各絵素に印加されるソース電圧の変化に合わせて上記振幅を変化させることを特徴とする請求項９に記載の駆動回路。
【請求項１１】
上記振幅調整部は、ソース電圧が印加されるデータ配線に接続されたアンプを有しており、各絵素に印加されるソース電圧の変化に合わせて上記振幅を変化させることを特徴とする請求項１０に記載の駆動回路。
【発明の詳細な説明】
【技術分野】
【０００１】
本発明は、液晶表示装置に関し、特に、１絵素を複数の副絵素に分割して駆動するマルチ絵素駆動方式の液晶表示装置に関する。
【背景技術】
【０００２】
液晶表示装置は、高精細、薄型、軽量および低消費電力等の優れた特長を有する平面表示装置であり、近年、表示性能の向上、生産能力の向上および他の表示装置に対する価格競争力の向上に伴い、市場規模が急速に拡大している。
【０００３】
従来一般的であったツイステッド・ネマティク・モード（ＴＮモード）の液晶表示装置は、正の誘電率異方性を持つ液晶分子の長軸を基板表面に対して略平行に配向させ、且つ、液晶分子の長軸が液晶層の厚さ方向に沿って上下の基板間で略９０度捻れるように配向処理が施されている。この液晶層に電圧を印加すると、液晶分子が電界に平行に立ち上がり、捻れ配向（ツイスト配向）が解消される。ＴＮモードの液晶表示装置は、電圧による液晶分子の配向変化に伴う旋光性の変化を利用することによって、透過光量を制御するものである。
【０００４】
ＴＮモードの液晶表示装置は、生産マージンが広く生産性に優れている。一方、表示性能とりわけ視野角特性の点で問題があった。具体的には、ＴＮモードの液晶表示装置の表示面を斜め方向から観測すると、表示のコントラスト比が著しく低下し、正面からの観測で黒から白までの複数の階調が明瞭に観測される画像を斜め方向から観測すると階調間の輝度差が著しく不明瞭となる点が問題であった。さらに、表示の階調特性が反転し、正面からの観測でより暗い部分が斜め方向からの観測ではより明るく観測される現象（いわゆる、階調反転現象）も問題であった。
【０００５】
近年、これらＴＮモードの液晶表示装置における視野角特性を改善した液晶表示装置として、インプレイン・スイッチング・モード（ＩＰＳモード）、マルチドメイン・バーティカル・アラインド・モード（ＭＶＡモード）、軸対称配向モード（ＡＳＭモード）等が開発されている。
【０００６】
これらの新規なモード（広視野角モード）の液晶表示装置は、いずれも視野角特性に関する上記の具体的な問題点を解決している。すなわち、表示面を斜め方向から観測した場合に表示コントラスト比が著しく低下したり、表示階調が反転するなどの問題は起こらない。
【０００７】
しかしながら、液晶表示装置の表示品位の改善が進む状況下において、今日では視野角特性の問題点として、正面観測時のγ特性と斜め観測時のγ特性が異なる点、すなわちγ特性の視角依存性の問題（白浮き等）が新たに顕在化してきた。ここで、γ特性とは表示輝度の階調依存性であり、γ特性が正面方向と斜め方向とで異なるということは、階調表示状態が観測方向によって異なることにつながるため、写真等の画像を表示する場合や、またＴＶ放送等を表示する場合に特に問題となる。
【０００８】
γ特性の視野角依存性の問題は、ＩＰＳモードよりも、ＭＶＡモードやＡＳＭモードにおいて顕著である。一方、ＩＰＳモードは、ＭＶＡモードやＡＳＭモードに比べて正面観測時のコントラスト比の高いパネルを生産性良く製造することが難しい。これらの点から、特にＭＶＡモードやＡＳＭモードの液晶表示装置におけるγ特性の視角依存性を改善することが望まれる。
【０００９】
上記γ特性の視角依存性を改善する方法として、特許文献１においては、マルチ絵素駆動方式が提案されている。先ずは、このマルチ絵素駆動方式について、図９〜図１２を参照して説明する。
【００１０】
マルチ絵素駆動とは、一つの表示絵素を、輝度の異なる２つ以上の副絵素で構成することによって視野角特性（γ特性の視角依存性）を改善する技術であるが、先ずは、その原理について簡単に説明する。
【００１１】
図９に、液晶表示パネルのγ特性（階調（電圧）−輝度比）を示す。図９における実線は、通常の駆動方式（一つの表示絵素が複数の副絵素に分割されない）において正面視におけるγ特性であり、この場合、最も正常な視認性が得られるものである。また、図９における破線は、通常の駆動方式において斜め方向からの視認（斜視）におけるγ特性であるが、この場合、正常な視認（すなわち正面視の視認）に対してズレが生じており、そのズレ量は、明輝度及び暗輝度を示す箇所で小さく、中間調を示す箇所で大きくなっていることが分かる。つまり、斜め方向からの視認においては、中間調の表示輝度が大きくなり、白浮きが生じる。
【００１２】
マルチ絵素駆動方式では、１つの表示絵素において目標とする輝度を得ようとする場合に、輝度の異なる複数の副絵素において、その平均輝度が目標となる輝度になるように表示制御を行う。そして、マルチ絵素駆動方式においても正面視におけるγ特性は、通常の駆動方式を行う場合と同様に、最も正常な視認性が得られるように設定される（図９の実線のγ特性と同一特性）。一方、マルチ絵素駆動方式における斜め方向からの視認性は、例えば、従来では輝度ズレの大きくなる中間調の目標輝度を得ようとする場合に、副絵素においては輝度ズレの小さい明輝度付近の領域及び暗輝度付近の領域の表示を行い、絵素全体としてはそれら副絵素の輝度の平均によって中間調輝度を得るため、輝度ズレが小さくなり、図９における一点鎖線に示すようなγ特性が得られる。
【００１３】
次に、マルチ絵素駆動を行う液晶表示装置の絵素の構成の一例を図１０に示す。図１０に示すように、一つの表示絵素は副絵素１９１，１９２に分割されており、副絵素１９１，１９２はそれぞれＴＦＴ（Thin Film Transistor）を介して走査線Ｇｎおよび信号線Ｓｍに接続されている。すなわち、上記２つのＴＦＴのゲ−ト電極は共通の（同一の）走査線Ｇｎに接続され、ソース電極は共通の（同一の）信号線Ｓｍに接続されている。
【００１４】
また、副絵素１９１，１９２のそれぞれは、液晶容量ＣＬＣと補助容量ＣＣＳとを有している。副絵素１９１，１９２のそれぞれにおいて、液晶容量ＣＬＣおよび補助容量ＣＣＳの一方の電極は、対応するＴＦＴのドレイン電極に接続される。液晶容量ＣＬＣの他方の電極は、副絵素１９１，１９２ともに対向電圧ＶＣＯＭに接続される。一方、副絵素１９１，１９２における補助容量ＣＣＳの他方の電極は、補助容量配線１９３，１９４にそれぞれ接続される。これにより、副絵素１９１，１９２における補助容量ＣＣＳには、それぞれ補助容量配線１９３，１９４から互いに異なる補助容量対向電圧（ＣＳ電圧）が供給され得る。
【００１５】
上記液晶表示装置において、副絵素１９１，１９２のそれぞれに印加されるソース電圧およびＣＳ電圧の波形の例を図１１に示す。
【００１６】
上記構造の液晶表示装置では、分割された副絵素１９１，１９２に対してそれぞれ異なるＣＳ電圧を印加することにより、副絵素１９１，１９２のそれぞれにおいてドレイン電圧が異なり、表示される階調も異なることになる（この場合ＣＳ電圧はＡＣ駆動となる）。具体的には共通のソース電圧を同じゲートタイミングでＯＮするが、ドレインに接続されるＣＳ電極の電圧が異なるため実際に保持される電圧が異なり、副絵素１９１，１９２で異なる輝度（階調）が表示されることになる。
【００１７】
なお、ＣＳ電圧の振幅は、図１１に示すように、１９３，１９４共に共通であり、位相が１８０度異なったものである。また次フレームにおいてはソース電圧の反転に合わせてＣＳ電圧も反転を行い交流駆動を行う。
【００１８】
副絵素１９１，１９２のそれぞれに印加される電圧Ｖａ，Ｖｂは、本来の印加電圧（目標輝度を与える電圧）Ｖｍに対してＶｍ＝（Ｖａ＋Ｖｂ）／２の関係を満たし、副絵素１９１，１９２の表示輝度の平均によって目標輝度が達成される。
【特許文献１】特開２００４−６２１４６号（公開日：平成１６年２月２６日）
【発明の開示】
【発明が解決しようとする課題】
【００１９】
しかしながら、上記従来のマルチ絵素駆動方式では、黒表示時に明るめの表示となり、白表示時に暗めの表示となって、コントラストの低下を招くといった問題がある。この問題の発生原因について説明すると以下の通りである。
【００２０】
上記従来のマルチ絵素駆動方式において、例えば白階調付近もしくは黒階調付近の表示を行う場合、一方の副絵素では、ソース電圧と同相のＣＳ電圧を印加されることにより、該副絵素への印加電圧は本来の印加電圧に対しさらに小さい電圧を印加されることになる。この場合、図１２に示すように、ソース電圧と同相のＣＳ電圧が印加された副絵素では、黒表示付近では目標輝度に対して輝度が増大する方向に印加電圧が変化し、白表示付近では輝度が減少する方向に印加電圧が変化する。
【００２１】
また、他方の副絵素では、ソース電圧と逆相のＣＳ電圧を印加されることにより、該副絵素への印加電圧は本来の印加電圧に対しさらに大きい電圧を印加されることになる。この場合、図１２に示すように、逆相のＣＳ電圧を印加された副絵素では、黒表示付近では目標輝度に対して輝度が減少する方向に印加電圧が変化し（さらに暗くなる）、白表示付近では輝度が増大する方向に印加電圧が変化する（さらに明るくなる）。
【００２２】
しかしながら、印加電圧がゼロになる場合（例えば、ノーマリーブラックモードの液晶表示装置では、黒表示の場合）、逆相のＣＳ電圧を印加した副絵素においては、表示をそれ以上暗くする（あるいは明るくする）ことはできない。したがって、逆相のＣＳ電圧を印加された副絵素では、印加電圧の変化に対して輝度の変化がほとんど無い。一方、同相のＣＳ電圧を印加された副絵素では、印加電圧の変化に対して表示輝度が中間調寄りに変化する。その結果、例えば、ノーマリーブラックモードの液晶表示装置の場合には、両副絵素の平均輝度によって達成される表示輝度では、黒表示における輝度上昇が生じ、コントラストの低下が発生する。また、ノーマリホワイトモードの液晶表示装置の場合には、上記とは逆に、白表示における輝度低下が生じ、コントラストの低下が発生する。
【００２３】
本発明は、上記の問題点に鑑みてなされたものであり、その目的は、コントラストの低下を抑制できる、マルチ絵素駆動方式の表示装置を実現することにある。
【課題を解決するための手段】
【００２４】
本発明にかかる液晶表示装置は、上記の課題を解決するために、１つの絵素を複数の副絵素に分割し、各副絵素に異なる電圧を印加することによって該絵素の表示を行う液晶表示装置であって、同一の絵素内に含まれる各副絵素が、それぞれ異なる補助容量配線に接続された補助容量電極とそれに対向する電極とによって形成された補助容量を有しているとともに、同一絵素内に含まれる上記副絵素のうちの少なくとも２つの副絵素における各補助容量電極に同時に印加され、振幅が互いに等しく、かつ、位相が互いに逆になった補助容量信号をそれぞれ生成する信号生成部と、各絵素の階調の大きさが変化するときに、上記補助容量信号の振幅を階調の大きさに応じて絵素ごとに変化させる振幅調整部とを備えていることを特徴としている。
【００２５】
本発明の液晶表示装置は、１つの絵素を複数の副絵素に分割し、各副絵素に異なる電圧を印加することによって該絵素の表示を行う、いわゆるマルチ絵素駆動方式を採用した液晶表示装置である。このような構成によれば、副絵素がそれぞれ異なる輝度で表示を行い、１つの表示絵素が形成される。
【００２６】
このマルチ絵素駆動方式の液晶表示装置において、上記信号生成部を設けることにより、それぞれの副絵素に含まれる補助容量電極に、補助容量配線を介して、振幅が等しく、かつ、位相が互いに逆になった（つまり、位相が１８０度異なった）補助容量信号が印加される。このことにより、上記２つの副絵素では、一方の副絵素で目標輝度よりも明るい表示、他方の副絵素で目標輝度よりも暗い表示となり、２つの副絵素の表示輝度の平均によって目標輝度が達成される。このようにして表示を行うことによって、斜め方向からの視認における白浮きを抑制できる。
【００２７】
さらに、本発明の液晶表示装置には、各絵素の階調の大きさが変化するときに上記補助容量信号の振幅を絵素ごとに変化させる振幅調整部が設けられている。これにより、印加電圧がゼロになり（例えば、ノーマリーブラックモードの液晶表示装置では、黒表示となり）、表示をそれ以上暗くする（あるいは明るくする）ことはできない飽和輝度付近の画像において、表示輝度を中間調よりに変化させる補助容量信号の振幅を小さくすることができるため、コントラストの低下を抑制することができる。
【００２８】
したがって、上記の構成によれば、マルチ絵素駆動方式の液晶表示装置における表示品位を向上させることができる。
【００２９】
また、本発明において、当該液晶表示装置は、ノーマリーブラックモードの液晶表示装置であり、上記振幅調整部は、各絵素の階調の大きさが小さくなるように変化したときに、上記補助容量信号の振幅がより小さくなるように振幅を変化させることが好ましい。
【００３０】
上記の構成によれば、絵素の階調値が小さくなる場合（すなわち、絵素が黒表示を行う場合）には、補助容量信号の振幅が小さくなるため、ソース電圧と同相の補助容量対向電圧（ＣＳ電圧）を印加された副絵素において、輝度が増大する方向への印加電圧の変化を小さくすることができる。つまり、黒表示を行う絵素において、ソース電圧と同相のＣＳ電圧を印加された副絵素の表示輝度が中間調側へ変化する量を小さくすることができる。
【００３１】
したがって、黒表示を行う場合に、絵素が明るめに表示されコントラストの低下を招くことを防止することができる。
【００３２】
本発明の液晶表示装置において、複数のデータ線と、これら複数のデータ線と交差するように配置された走査線とを有し、上記絵素はこれら複数のデータ線と複数の走査線との各交点に対応してマトリクス状に配されており、上記振幅調整部は、上記データ線を介して各絵素に印加されるソース電圧の変化に合わせて上記振幅を変化させることが好ましい。
【００３３】
上記の構成によれば、各絵素の階調の大きさはソース電圧の大きさによって決定されるため、ソース電圧の変化に合わせて振幅を変化させることで、階調の大きさの変化に合わせて上記補助容量信号の振幅を変化させることができる。
【００３４】
本発明の液晶表示装置において、上記振幅調整部は、各副絵素の上記補助容量電極と上記補助容量配線との間に、ソース電圧の大きさに基づいて上記振幅を変化させる回路を有していることが好ましい。
【００３５】
上記の構成によれば、簡単な回路構成によって絵素ごとに補助容量信号の振幅を変化させることのできる振幅調整部を実現することができる。
【００３６】
また、上記の構成によれば、ラインごとに一つの補助容量配線を設けた場合であっても、印加されるソース電圧の大きさに応じて、補助容量信号の振幅を絵素毎に変化させることができる。
【００３７】
本発明の液晶表示装置において、上記絵素は、２つの副絵素から構成されていてもよい。
【００３８】
本発明にかかる液晶表示装置の駆動方法は、上記の課題を解決するために、１つの絵素を複数の副絵素に分割し、各副絵素に異なる電圧を印加することによって該絵素の表示を行う液晶表示装置の駆動方法において、同一の絵素内に含まれる各副絵素が、それぞれ異なる補助容量配線に接続された補助容量電極とそれに対向する電極とによって形成された補助容量を有しており、同一絵素内に含まれる上記副絵素のうちの少なくとも２つの副絵素における各補助容量電極に同時に印加され、振幅が互いに等しく、かつ、位相が互いに逆になった補助容量信号をそれぞれ生成するとともに、各絵素の階調の大きさが変化するときに上記補助容量信号の振幅を階調の大きさに応じて絵素ごとに変化させることを特徴としている。
【００３９】
上記の方法によれば、マルチ絵素駆動方式の液晶表示装置において、それぞれの副絵素に含まれる補助容量電極に、補助容量配線を介して、振幅が等しく、かつ、位相が互いに逆になった（つまり、位相が１８０度異なった）補助容量信号を印加することができる。このことにより、上記２つの副絵素では、一方の副絵素で目標輝度よりも明るい表示、他方の副絵素で目標輝度よりも暗い表示となり、２つの副絵素の表示輝度の平均によって目標輝度が達成される。このようにして表示を行うことによって、斜め方向からの視認における白浮きを抑制できる。
【００４０】
さらに、本発明の方法では、各絵素の階調の大きさが変化するときに上記補助容量信号の振幅を絵素ごとに変化させている。これにより、印加電圧がゼロになり（例えば、ノーマリーブラックモードの液晶表示装置では、黒表示となり）、表示をそれ以上暗くする（あるいは明るくする）ことはできない飽和輝度付近の画像において、表示輝度を中間調よりに変化させる補助容量信号の振幅を小さくすることができるため、コントラストの低下を抑制することができる。
【００４１】
したがって、上記の構成によれば、マルチ絵素駆動方式の液晶表示装置における表示品位を向上させることができる。
【００４２】
本発明の液晶表示装置の駆動方法において、当該液晶表示装置は、ノーマリーブラックモードの液晶表示装置であり、上記補助容量信号の振幅を変化させるステップにおいて、各絵素の階調の大きさが小さくなるように変化したときに、上記補助容量信号の振幅がより小さくなるように振幅を変化させることが好ましい。
【００４３】
上記の方法によれば、絵素の階調値が小さくなる場合（すなわち、絵素が黒表示を行う場合）には、補助容量信号の振幅が小さくなるため、ソース電圧と同相の補助容量対向電圧（ＣＳ電圧）を印加された副絵素において、輝度が増大する方向への印加電圧の変化を小さくすることができる。つまり、黒表示を行う絵素において、ソース電圧と同相のＣＳ電圧を印加された副絵素の表示輝度が中間調側へ変化する量を小さくすることができる。
【００４４】
したがって、黒表示を行う場合に、絵素が明るめに表示されコントラストの低下を招くことを防止することができる。
【００４５】
本発明の液晶表示装置の駆動方法において、当該液晶表示装置は、複数のデータ線と、これら複数のデータ線と交差するように配置された走査線とを有しているとともに、上記絵素はこれら複数のデータ線と複数の走査線との各交点に対応してマトリクス状に配されており、上記補助容量信号の振幅を変化させるステップでは、上記データ線を介して各絵素に印加されるソース電圧の変化に合わせて振幅を変化させることが好ましい。
【００４６】
上記の方法によれば、各絵素の階調の大きさはソース電圧の大きさによって決定されるため、ソース電圧の変化に合わせて振幅を変化させることで、階調の大きさの変化に合わせて上記補助容量信号の振幅を変化させることができる。
【００４７】
本発明にかかる液晶表示装置の駆動回路は、上記の課題を解決するために、１つの絵素を複数の副絵素に分割し、各副絵素に異なる電圧を印加することによって該絵素の表示を行う液晶表示装置の各絵素を駆動する駆動回路であって、同一の絵素内に含まれる各副絵素のうちの少なくとも２つの副絵素に設けられたそれぞれの補助容量電極に同時に印加され、振幅が互いに等しく、かつ、位相が互いに逆になった補助容量信号をそれぞれ生成する信号生成部と、各絵素の階調の大きさが変化するときに上記補助容量信号の振幅を階調の大きさに応じて絵素ごとに変化させる振幅調整部とを有していることを特徴としている。
【００４８】
上記の構成によれば、上記信号生成部を有していることにより、それぞれの副絵素に含まれる補助容量電極に、補助容量配線を介して、振幅が等しく、かつ、位相が互いに逆になった（つまり、位相が１８０度異なった）補助容量信号が印加される。このことにより、上記２つの副絵素では、一方の副絵素で目標輝度よりも明るい表示、他方の副絵素で目標輝度よりも暗い表示となり、２つの副絵素の表示輝度の平均によって目標輝度が達成される。このようにして表示を行うことによって、斜め方向からの視認における白浮きを抑制できる。
【００４９】
さらに、本発明の駆動回路は、各絵素の階調の大きさが変化するときに上記補助容量信号の振幅を絵素ごとに変化させる振幅調整部を備えている。これにより、印加電圧がゼロになり（例えば、ノーマリーブラックモードの液晶表示装置では、黒表示となり）、表示をそれ以上暗くする（あるいは明るくする）ことはできない飽和輝度付近の画像において、表示輝度を中間調よりに変化させる補助容量信号の振幅を小さくすることができるため、コントラストの低下を抑制することができる。
【００５０】
したがって、本発明の駆動回路を使用すれば、マルチ絵素駆動方式の液晶表示装置の表示品位を向上させることができる。
【００５１】
本発明の駆動回路において、上記振幅調整部は、上記液晶表示装置に設けられたデータ線を介して各絵素に印加されるソース電圧の変化に合わせて上記振幅を変化させることが好ましい。
【００５２】
上記の構成によれば、各絵素の階調の大きさはソース電圧の大きさによって決定される（つまり、ソース電圧が大きくなれば振幅も大きくなり、ソース電圧が小さくなれば振幅も小さくなる）ため、ソース電圧の変化に合わせて振幅を変化させることで、階調の大きさの変化に合わせて上記補助容量信号の振幅を変化させることができる。
【００５３】
本発明の駆動回路において、上記振幅調整部は、ソース電圧が印加されるデータ配線に接続されたアンプを有しており、各絵素に印加されるソース電圧の変化に合わせて上記振幅を変化させることが好ましい。
【００５４】
上記の構成によれば、アンプが設けられていることによって、ソース電圧の大きさによって補助容量信号の振幅を容易に制御することができる。
【発明の効果】
【００５５】
本発明にかかる液晶表示装置は、以上のように、マルチ絵素駆動方式の液晶表示装置であって、同一の絵素内に含まれる各副絵素が、それぞれ異なる補助容量配線に接続された補助容量電極とそれに対向する電極とによって形成された補助容量を有しているとともに、同一絵素内に含まれる上記副絵素のうちの少なくとも２つの副絵素における各補助容量電極に同時に印加され、振幅が互いに等しく、かつ、位相が互いに逆になった補助容量信号をそれぞれ生成する信号生成部と、各絵素の階調の大きさが変化するときに、上記補助容量信号の振幅を階調の大きさに応じて絵素ごとに変化させる振幅調整部とを備えているものである。
【００５６】
本発明にかかる液晶表示装置の駆動方法は、以上のように、マルチ絵素駆動方式の液晶表示装置の駆動方法であって、同一の絵素内に含まれる各副絵素が、それぞれ異なる補助容量配線に接続された補助容量電極とそれに対向する電極とによって形成された補助容量を有しており、同一絵素内に含まれる上記副絵素のうちの少なくとも２つの副絵素における各補助容量電極に同時に印加され、振幅が互いに等しく、かつ、位相が互いに逆になった補助容量信号をそれぞれ生成するとともに、各絵素の階調の大きさが変化するときに上記補助容量信号の振幅を階調の大きさに応じて絵素ごとに変化させるものである。
【００５７】
本発明にかかる液晶表示装置の駆動回路は、以上のように、マルチ絵素駆動方式の液晶表示装置の駆動回路であって、同一の絵素内に含まれる各副絵素のうちの少なくとも２つの副絵素に設けられたそれぞれの補助容量電極に同時に印加され、振幅が互いに等しく、かつ、位相が互いに逆になった補助容量信号をそれぞれ生成する信号生成部と、各絵素の階調の大きさが変化するときに上記補助容量信号の振幅を階調の大きさに応じて絵素ごとに変化させる振幅調整部とを有している。
【００５８】
したがって、本発明によれば、各絵素の階調の大きさが変化するときに補助容量信号の振幅を絵素ごとに変化させることができる。そのため、絵素への印加電圧がゼロになり、表示をそれ以上暗くする（あるいは明るくする）ことはできない飽和輝度付近の画像において、表示輝度を中間調よりに変化させる補助容量信号の振幅を小さくすることができ、コントラストの低下を抑制することができる。
【００５９】
したがって、本発明によれば、マルチ絵素駆動方式の液晶表示装置の表示品位を向上させることができる。
【発明を実施するための最良の形態】
【００６０】
本発明の一実施形態について図１ないし図８に基づいて説明すると以下の通りである。まず、本実施の形態に係る液晶表示装置の概略構成について、図２を参照して説明する。本実施の形態では、ノーマリーブラックモードの液晶表示装置を例に挙げて説明する。
【００６１】
本実施の形態の液晶表示装置は、各絵素の階調の大きさが小さくなるように変化したとき（つまり、絵素が黒表示付近となるとき）に、上記補助容量信号の振幅をより小さく変化させることにより、マルチ絵素駆動方式におけるコントラストの低下を抑制するものである。
【００６２】
この液晶表示装置は、アクティブマトリクス型の液晶表示装置であり、複数のデータ配線（データ線）７と、これら複数のデータ配線７と交差するように配置されたゲート配線（走査線）６と、これら各配線の交点に対応してマトリクス状に配された絵素ＰＩＸとを有する表示部１と、各絵素ＰＩＸを駆動する各駆動回路２・３・４と、各駆動回路に制御信号や映像信号を供給する制御回路５とを備えている。駆動回路としては、表示部１のゲート配線６を駆動するゲート駆動回路２、データ配線７を駆動するソース駆動回路３、および補助容量配線（ＣＳ配線）８を駆動するＣＳ駆動回路４が備えられている。
【００６３】
表示部１は液晶パネルからなっており、該表示部１における絵素ＰＩＸの詳細な構造を、図１に示す。すなわち、図２に示す絵素ＰＩＸは、図１に示す副絵素９１，９２を含んで形成されている。同一の絵素ＰＩＸに属する２つの副絵素は、スイッチング素子であるＴＦＴを介して同一のゲート配線６及びデータ配線７に接続される。また、同一の絵素ＰＩＸに属する２つの副絵素は、それぞれ異なるＣＳ配線８に接続される。
【００６４】
ゲート駆動回路２は、制御回路５から入力されるＧＳＰ（ゲートスタートパルス信号）およびＧＣＫ（ゲートクロック信号）によって制御され、ゲート配線６を介してＴＦＴのゲートに走査信号を供給する。ソース駆動回路３は、制御回路５から入力されるＳＳＰ（ソーススタートパルス信号）およびＳＣＫ（ソースクロック信号）によってタイミング制御され、制御回路５から入力される画像データ信号をデータ配線７およびＴＦＴを介して絵素ＰＩＸに供給する。
【００６５】
そして、ＣＳ駆動回路４（信号生成部）は、制御回路５から入力される制御信号に基づいて、補助容量ＣＣＳに電圧を印加するするための補助容量信号（ＣＳ信号）を生成する。そして、生成されたＣＳ信号は、ＣＳ配線８を通じて絵素ＰＩＸ内の副絵素に供給され、副絵素内の補助容量にＣＳ信号に基づくＣＳ電圧を供給する。本発明に係る液晶表示装置は、マルチ絵素駆動方式におけるコントラストの低下を抑制するために、各絵素の階調の大きさに応じて上記ＣＳ電圧を制御するものである。
【００６６】
上記液晶表示装置において、副絵素９１，９２のそれぞれに印加される画像データ信号（ソース電圧）およびＣＳ信号（ＣＳ電圧）の波形の例は、上述した図１１に示す通りである。
【００６７】
つまり、本実施の形態の液晶表示装置では、分割された副絵素９１，９２に対してそれぞれ異なるＣＳ電圧を同時に印加することにより、副絵素９１，９２のそれぞれにおいてドレイン電圧が異なり、表示される階調も異なることになる（この場合ＣＳ電圧はＡＣ駆動となる）。具体的には共通のソース電圧を同じゲートタイミングでＯＮするが、ドレインに接続されるＣＳ電極の電圧が異なるため実際に保持される電圧が異なり、副絵素９１，９２で異なる輝度（階調）が表示されることになる。
【００６８】
なお、ＣＳ電圧の振幅は、図１１に示すように、２つの補助容量配線９３，９４共に等しくなっている。また、ＣＳ電圧の位相は、互いに逆になっている（つまり、１８０度異なったものである）。また次フレームにおいてはソース電圧の反転に合わせてＣＳ電圧も反転を行い交流駆動を行う。
【００６９】
副絵素９１，９２のそれぞれに印加される電圧Ｖａ，Ｖｂは、本来の印加電圧（目標輝度を与える電圧）Ｖｍに対してＶｍ＝（Ｖａ＋Ｖｂ）／２の関係を満たし、副絵素９１，９２の表示輝度の平均によって目標輝度が達成される。
【００７０】
次に、表示部１における絵素ＰＩＸの具体的な構造を、図１を用いて説明する。
図１に示すように、一つの表示絵素は２つの副絵素（すなわち、副絵素９１，９２）に分割されており、副絵素９１，９２はそれぞれＴＦＴ（Thin Film Transistor）を介して走査線Ｇｎ（ゲート配線６）および信号線Ｓｍ（データ配線７）に接続されている。すなわち、上記２つのＴＦＴのゲ−ト電極は共通の（同一の）走査線Ｇｎに接続され、ソース電極は共通の（同一の）信号線Ｓｍに接続されている。
【００７１】
また、副絵素９１，９２のそれぞれは、液晶容量ＣＬＣと補助容量ＣＣＳとを有している。副絵素９１，９２のそれぞれにおいて、液晶容量ＣＬＣおよび補助容量ＣＣＳの一方の電極は、対応するＴＦＴのドレイン電極に接続される。液晶容量ＣＬＣの他方の電極は、副絵素９１，９２ともに対向電圧ＶＣＯＭに接続される。一方、副絵素９１，９２における補助容量ＣＣＳの他方の電極（これを補助容量電極と呼ぶ）は、補助容量配線９３，９４にそれぞれ接続される。これにより、副絵素９１，９２における補助容量ＣＣＳには、それぞれ補助容量配線９３，９４から互いに異なる補助容量対向電圧（ＣＳ電圧）が供給され得る。つまり、液晶容量ＣＬＣとは、液晶層を介して配置された各電極間に形成された容量であり、補助容量ＣＣＳとは、補助容量配線９３，９４に接続された補助容量電極とそれに対向するドレイン電極との間に形成された容量である。
【００７２】
なお、本実施の形態にかかる液晶表示装置においては、副絵素９１の補助容量ＣＣＳの上記他方の電極と、補助容量配線９３との間に、該副絵素９１に印加されるソース電圧の変化に合わせて（つまり、ソース電圧の大きさに応じて）ＣＳ電圧の振幅を変化させる振幅調整部９５が設けられている。また、副絵素９２の補助容量ＣＣＳと、補助容量配線９４との間に、該副絵素９２に印加されるソース電圧の変化に合わせて（つまり、ソース電圧の大きさに応じて）ＣＳ電圧の振幅を変化させる振幅調整部９６が設けられている。
【００７３】
次に、本実施の形態に係る液晶表示装置の駆動方法について以下に詳細に説明する。
【００７４】
先ず、上記液晶表示装置の駆動信号を図３に示す。ここでは、図１に示す絵素構造の部材番号を用いて駆動信号の波形を説明する。図３において、（ａ）は信号線Ｓｍの電圧波形Ｖｓ（つまり、画像データ信号の波形）、（ｂ）はＣＳ配線９３の電圧波形Ｖｃｓａ、（ｃ）はＣＳ配線９４の電圧波形Ｖｃｓｂ、（ｄ）はゲート配線Ｇｎの電圧波形Ｖｇ、（ｅ）は副絵素９１の電圧波形Ｖｌｃａ、（ｆ）は副絵素９２の電圧波形Ｖｌｃｂをそれぞれ示している。
【００７５】
先ず、時刻Ｔ１のとき、Ｖｇの電圧がＶｇＬからＶｇＨに変化することにより、副絵素９１，９２に接続された２つのＴＦＴが同時に導通状態（オン状態）となり、副絵素９１，９２に信号線Ｓｍの電圧Ｖｓ（ソース電圧）が伝達され、副絵素９１，９２が充電される。ここで、副絵素９１，９２が充電されるとは、液晶容量ＣＬＣと補助容量ＣＣＳとの両方が充電されることを意味する。
【００７６】
次に、時刻Ｔ２のとき、ゲート配線Ｇｎの電圧ＶｇがＶｇＨからＶｇＬに変化することにより、副絵素９１，９２に接続された２つのＴＦＴが同時に非導通状態（ＯＦＦ状態）となることで副絵素９１，９２への充電が終了し、副絵素９１，９２は信号線Ｓｍと電気的に絶縁される。なお、この直後、上記ＴＦＴの有する寄生容量等の影響による引き込み現象のために、それぞれの副絵素９１，９２の電圧Ｖｌｃａ、Ｖｌｃｂは概ね同一の電圧Ｖｄだけ低下し、
Ｖｌｃａ＝Ｖｓ−Ｖｄ
Ｖｌｃｂ＝Ｖｓ−Ｖｄ
となる。また、このとき、それぞれのＣＳ配線９３，９４の電圧Ｖｃｓａ，Ｖｃｓｂは、
Ｖｃｓａ＝Ｖｃｓｃ−Ｖａｄ
Ｖｃｓｂ＝Ｖｃｓｃ＋Ｖａｄ
である。すなわち、ＶｃｓａおよびＶｃｓｂは、等しい振幅Ｖａｄを有し、位相が１８０度異なっている。
【００７７】
時刻Ｔ３では、ＣＳ配線９３の電圧ＶｃｓａがＶｃｓｃ−ＶａｄからＶｃｓｃ＋Ｖａｄに変化し、ＣＳ配線９４の電圧ＶｃｓｂがＶｃｓｃ＋ＶａｄからＶｃｓｃ−Ｖａｄに変化する。ＣＳ配線９３，９４のこの電圧変化に伴い、それぞれの副絵素９１，９２の電圧Ｖｌｃａ、Ｖｌｃｂは、
Ｖｌｃａ＝Ｖｓ−Ｖｄ＋２×Ｋ×Ｖａｄ
Ｖｌｃｂ＝Ｖｓ−Ｖｄ−２×Ｋ×Ｖａｄ
へ変化する。但し、Ｋ＝ＣＣＳ／（ＣＬＣ（Ｖ）＋ＣＣＳ）である。ここで、ＣＬＣ（Ｖ）は、副絵素９１，９２における液晶容量の静電容量値であり、ＣＬＣ（Ｖ）の値は、副絵素９１，９２の液晶層に印加される実効電圧（Ｖ）に依存する。また、ＣＣＳは、補助容量の静電容量値である。
【００７８】
時刻Ｔ４では、ＶｃｓａがＶｃｓｃ＋ＶａｄからＶｃｓｃ−Ｖａｄへ、ＶｃｓｂがＶｃｓｃ−ＶａｄからＶｃｓｃ＋Ｖａｄへ変化し、Ｖｌｃａ、Ｖｌｃｂもまた、
Ｖｌｃａ＝Ｖｓ−Ｖｄ＋２×Ｋ×Ｖａｄ
Ｖｌｃｂ＝Ｖｓ−Ｖｄ−２×Ｋ×Ｖａｄ
から、
Ｖｌｃａ＝Ｖｓ−Ｖｄ
Ｖｌｃｂ＝Ｖｓ−Ｖｄ
へ変化する。
【００７９】
時刻Ｔ５では、ＶｃｓａがＶｃｓｃ−ＶａｄからＶｃｓｃ＋Ｖａｄへ、ＶｃｓｂがＶｃｓｃ＋ＶａｄからＶｃｓｃ−Ｖａｄへ、２倍のＶａｄだけ変化し、Ｖｌｃａ、Ｖｌｃｂもまた、
Ｖｌｃａ＝Ｖｓ−Ｖｄ
Ｖｌｃｂ＝Ｖｓ−Ｖｄ
から、
Ｖｌｃａ＝Ｖｓ−Ｖｄ＋２×Ｋ×Ｖａｄ
Ｖｌｃｂ＝Ｖｓ−Ｖｄ−２×Ｋ×Ｖａｄ
へ変化する
Ｖｃｓａ、Ｖｃｓｂ、Ｖｌｃａ、Ｖｌｃｂは、上記Ｔ３、Ｔ５における変化を交互に繰り返す。前期Ｔ３、Ｔ５の繰り返しの間隔、あるいは位相は、液晶表示装置の駆動方法（極性反転方法等）や表示状態（ちらつき、表示のざらつき感等）を鑑みて適宜設定すればよい（例えば、上記Ｔ３、Ｔ５の繰り返し間隔としては０．５Ｈ、１Ｈ、或いは２Ｈ、４Ｈ、６Ｈ、８Ｈ、１０Ｈ、１２Ｈ、・・・等が設定できる（１Ｈは１水平書き込み時間））。この繰り返しは、次に絵素が書き換えられるとき、すなわちＴ１に等価な時間になるまで継続される。従って、それぞれの副絵素電極の電圧Ｖｌｃａ、Ｖｌｃｂの実効的な値は、
Ｖｌｃａ＝Ｖｓ−Ｖｄ＋Ｋ×Ｖａｄ
Ｖｌｃｂ＝Ｖｓ−Ｖｄ−Ｋ×Ｖａｄ
となる。
【００８０】
よって、副絵素９１，９２の液晶層に印加される実効電圧Ｖ１、Ｖ２は、
Ｖ１＝Ｖｌｃａ−Ｖｃｓｃ
Ｖ２＝Ｖｌｃｂ−Ｖｃｓｃ
すなわち、
Ｖ１＝Ｖｓ−Ｖｄ＋Ｋ×Ｖａｄ−Ｖｃｓｃ
Ｖ２＝Ｖｓ−Ｖｄ−Ｋ×Ｖａｄ−Ｖｃｓｃ
となる。
【００８１】
従って、副絵素９１，９２のそれぞれの液晶層に印加される実効電圧の差ΔＶ１２（＝Ｖ１−Ｖ２）は、ΔＶ１２＝２×Ｋ×Ｖａｄとなり、副絵素９１，９２のそれぞれに互いに異なる電圧を印加することができる。
【００８２】
ここで、本実施の形態における液晶表示装置では、電圧ＶｃｓａおよびＶｃｓｂにおける振幅Ｖａｄは可変であり、絵素に印加されるソース電圧の大きさに合わせて振幅Ｖａｄは変化する。つまり、各絵素に印加されるソース電圧は、各絵素に表示される階調値に依存して絵素ごとに一定の振幅を有しているが、絵素が書き換えられ階調値が変化した場合には、ソース電圧の振幅も変化する。
【００８３】
すなわち、従来のマルチ絵素駆動方式では、ＣＳ電圧ＶｃｓａおよびＶｃｓｂに一定値の振幅Ｖａｄのを与え、さらに位相を異ならせることによって副絵素９１，９２のそれぞれに印加される電圧を異ならせている。このように、上記ＣＳ電圧に振幅を与えて副絵素の表示輝度を異ならせることにより、中間調付近の表示において視野角特性を向上させることができる。しかし、例えばノーマリーブラックモードの場合には、階調値（輝度）が０となる黒表示付近において表示輝度を中間調寄りに変化させる。このため、従来のマルチ絵素駆動方式では、表示画像のコントラストを低下させるといった弊害が生じることはすでに説明したとおりである。
【００８４】
このため、本実施の形態に係る液晶表示装置は、ＣＳ電圧の振幅Ｖａｄを絵素に印加されるソース電圧の大きさに応じて変化させることで、コントラストの低下を抑制している。具体的には、中間調表示を行う表示絵素では振幅Ｖａｄを大きくとることで視野角特性の向上を優先し、黒表示時を行う表示絵素では振幅Ｖａｄを小さくすることでコントラストの低下を低減させる。
【００８５】
そこで本発明では、上述のように、マルチ絵素駆動方式の液晶表示装置において、ＣＳ電圧の振幅Ｖａｄを階調値の変化に応じて各絵素毎に制御している。そのため、絵素ごとに表示される画像の階調値に合わせて最適な効果が得られる。具体的には、図１，５に示すように、各副絵素９１，９２において、補助容量配線９３，９４と補助容量ＣＣＳ，ＣＣＳとの間に振幅調整部９５，９６をそれぞれ設けることによって、各絵素の階調値が小さくなった場合（すなわち、表示絵素が黒側に変化した場合）には、ＣＳ駆動回路４において生成されたＣＳ信号の振幅をより小さく変化させている。これによって、黒表示を行う場合に、ＣＳ信号の影響によって中間調寄りに表示輝度が変化する量を小さく抑えることができ、コントラストの低下を低減させることができる。
【００８６】
ところで、絵素に表示される画像の階調値は、信号線Ｓｍに印加されるソース電圧によって決定される。表１には、ノーマリーブラックモードの液晶表示装置における画像データ信号の階調値とソース電圧との関係を示す。表１に示すように、８ビット信号においては画像データ信号の階調値が０階調のとき、ソース電圧は最小となり、黒表示となる。そして、階調値が徐々に大きくなるにしたがって、ソース電圧は上昇し徐々に明るい表示となり、最終的に階調値が２５５のとき、ソース電圧は最大となり白表示となる。
【００８７】
【表１】
2008145886.tif 000003
【００８８】
そこで、本実施の形態においては、ソース電圧を利用することによって、ＣＳ電圧の振幅の調整を行っている。つまり、振幅調整部９５，９６は、絵素ＰＩＸ（つまり、副絵素９１，９２）に印加されるソース電圧の変化に合わせてＣＳ信号の振幅を変化させている。
【００８９】
図５には、上記のようにソース電圧の変化に合わせてＣＳ信号の振幅を変化させるための振幅調整部９５のより詳細な構成の一例を示す。図５に示すように、振幅調整部９５内には、画像データ信号を送信する信号線Ｓｍに接続されたアンプ１０１と、補助容量配線９３にかかるＣＳ電圧のＨｉｇｈ／Ｌｏｗに応じて、アンプ１０１によって増幅された画像データ信号の電圧と、対向電極（ＣＯＭ）の電圧との間で電圧を切り替えるスイッチ回路１０２とが設けられている。
【００９０】
なお、振幅調整部９６についても、振幅調整部９５と同様の構成を有しているため、その説明を省略する。
【００９１】
図４（ａ）（ｂ）には、階調値の大きさによってＣＳ信号の振幅が変化する様子を示す。図４（ａ）は、階調値が２５０のときのデータ信号（ソース線に印加される信号）および補助容量信号の波形を示す波形図であり、図４（ｂ）は、階調値が１０のときのデータ信号（ソース線に印加される信号）および補助容量信号の波形を示す波形図である。なお、図４（ａ）および（ｂ）において、Ｖｓ、Ｖｃｓａ、Ｖｃｓｂは、ソース電圧、副絵素９１におけるＣＳ電圧、副絵素９２におけるＣＳ電圧をそれぞれ示す。また、図中、Ｖ２５０は階調値２５０のときのソース電圧の振幅、Ｖ１０は階調値１０のときのソース電圧の振幅、Ｖａｄ１は階調値２５０のときのＣＳ電圧の振幅、Ｖａｄ２は階調値１０のときのＣＳ電圧の振幅をそれぞれ示している。図を見ればわかるように、それぞれの階調値の振幅の大小関係は、Ｖａｄ１＞Ｖａｄ２となっている。
【００９２】
図６には、振幅調整部が図５に示すような構成を有する場合のソース電圧とＣＳ電圧の振幅との関係を示す。図６に示すように、ソース電圧の上昇に比例してＣＳ電圧の振幅も大きくなる。なお、ＣＳ電圧は、主に中間調表示の斜め方向からの視認性の向上を目的としているため、黒表示時には、ＣＳ電圧の振幅が０となるように振幅の調整を行ってもよい。
【００９３】
図５に示すように、ソース電圧を利用して補助容量信号の振幅を変化させれば、回路の構成を複雑化することなく、絵素の階調値の変化に合わせて補助容量信号の振幅を変化させることのできる振幅調整部を提供することができる。また、本発明の振幅調整部は、各絵素にそれぞれ設けられているため、絵素ごとに変化する階調値に合わせて各副絵素に印加される補助容量信号の振幅を変化させることができる。
【００９４】
なお、図５に示す構成は、本発明の液晶表示装置に備えられた振幅調整部の構成の一例であるが、本発明はこの構成に限定されるものではない。振幅調整部の他の例として、図７や図８に示すように、ソース電圧が上昇することによって、ＣＳ電圧の振幅を段階的に大きくすることのできる構成などが挙げられる。このように、ＣＳ電圧の振幅を段階的に大きくするためには、アンプの特性を変えればよい。
【００９５】
本実施の形態では、ノーマリーブラックモードの液晶表示装置を例に挙げて説明した。しかしながら、本発明はこの構成に限定されるものではなく、ノーマリーホワイトモードの液晶表示装置にも適用することができる。ノーマリーホワイトモードの液晶表示装置に本発明を適用する場合には、液晶表示装置は、各絵素の階調の大きさが大きくなるように変化したとき（つまり、絵素の輝度が上昇したとき）に、上記補助容量信号の振幅をより小さく変化させる振幅調整部を有していることが好ましい。
【００９６】
また、本実施の形態では、１つの表示絵素を２つの副絵素に分割した液晶表示装置を礼に挙げて説明したが、本発明はこの構成に限定されるものではない。１つの表示絵素が２つの副絵素で構成されるものの他に、１つの表示絵素が４つの副絵素で構成されるものなども本発明に含まれる。この場合、４つの副絵素を２つのグループに分け、各グループにおいて、振幅が等しく、かつ、位相が互いに逆になった補助容量信号を各補助容量に同時に印加すればよい。
【００９７】
本発明は上述した実施形態に限定されるものではなく、請求項に示した範囲で種々の変更が可能である。すなわち、請求項に示した範囲で適宜変更した技術的手段を各々組み合わせて得られる実施形態についても本発明の技術的範囲に含まれる。
【産業上の利用可能性】
【００９８】
本発明によれば、マルチ絵素駆動方式の液晶表示装置において、コントラストの低下を抑制し、表示品位を向上させることができる。そのため、高画質の映像表示が求められる表示装置の分野に利用することができる。
【図面の簡単な説明】
【００９９】
【図１】本発明の一実施の形態にかかる液晶表示装置の絵素構造を示す模式図である。
【図２】本発明の一実施の形態にかかる液晶表示装置の概略構成を示すブロック図である。
【図３】（ａ）〜（ｆ）は、図２に示す液晶表示装置の駆動信号を示す波形図である。
【図４】（ａ）は、階調値が２５０のときのデータ信号（ソース線に印加される信号）および補助容量信号の波形を示す波形図であり、（ｂ）は、階調値が１０のときのデータ信号（ソース線に印加される信号）および補助容量信号の波形を示す波形図である。
【図５】本発明の一実施の形態にかかる液晶表示装置の副絵素に設けられた振幅調整部の構成を示す模式図である。
【図６】ＣＳ電圧の振幅とソース電圧との関係の一例を示すグラフである。
【図７】ＣＳ電圧の振幅とソース電圧との関係の他の例を示すグラフである。
【図８】ＣＳ電圧の振幅とソース電圧との関係のさらに他の例を示すグラフである。
【図９】通常駆動とマルチ絵素駆動とにおける階調−輝度特性を示すグラフである。
【図１０】マルチ絵素駆動を行う液晶表示装置の絵素構造を示す図である。
【図１１】マルチ絵素駆動を行う液晶表示装置において、副絵素に印加されるソース電圧とＣＳ電圧とを示す波形図である。
【図１２】マルチ絵素駆動を行う液晶表示装置において、印加電圧と輝度との関係を示すグラフである。
【符号の説明】
【０１００】
１            表示パネル
２            ゲート駆動回路
３            ソース駆動回路
４            ＣＳ駆動回路（駆動回路、信号生成部）
５            制御回路
９１，９２      副絵素
８，９３，９４  補助容量配線
９５，９６      振幅調整部
６，Ｇｎ        ゲート配線
７，Ｓｍ        データ配線
ＣＬＣ          液晶容量
ＣＣＳ          補助容量
Ｖａｄ          補助容量信号の振幅
１０１          アンプ
１０２          スイッチ回路
【図１】
2008145886.tif 000004
【図２】
2008145886.tif 000005
【図３】
2008145886.tif 000006
【図４】
2008145886.tif 000007
【図５】
2008145886.tif 000008
【図６】
2008145886.tif 000009
【図７】
2008145886.tif 000010
【図８】
2008145886.tif 000011
【図９】
2008145886.tif 000012
【図１０】
2008145886.tif 000013
【図１１】
2008145886.tif 000014
【図１２】
2008145886.tif 000015